(57)【要約】【課題】ユーザに手間をかけさせることなく、白紙のデータを含めた電子文書データを作成することの可能な仕組みを提供することを目的とする。【解決手段】本発明の情報処理装置は、複数のページを備える撮像対象物を撮像する撮像部と、撮像対象物へのめくり動作を検知可能な検知部と通信可能な情報処理装置であって、撮像部で撮像されたデータである複数の撮像データを管理し、撮像と撮像との間に、検知部で撮像対象物へのめくり動作が検知された回数を管理する。撮像部での撮像と撮像との間にめくり動作が検知された回数が２回以上管理される場合には、撮像データに白紙のデータが前記撮像部での撮像と撮像とに対応するページに追加された電子文書データを作成することを特徴とする。【選択図】図７
2018042183.tif 000002
【特許請求の範囲】
【請求項１】
複数のページを備える撮像対象物を撮像する撮像部と、当該撮像対象物へのめくり動作を検知可能な検知部と通信可能な情報処理装置であって、
前記撮像部で撮像されたデータである複数の撮像データを管理する撮像データ管理手段と、
前記撮像部での撮像と撮像との間に、前記検知部で前記撮像対象物へのめくり動作が検知された回数を管理する回数管理手段と、
前記回数管理手段で、前記撮像部での撮像と撮像との間に前記めくり動作が検知された回数が２回以上管理される場合には、前記撮像データ管理手段で管理される前記撮像データに白紙のデータが前記撮像部での撮像と撮像とに対応するページに追加された電子文書データを作成する作成手段と
を備えることを特徴とする情報処理装置。
【請求項２】
前記作成手段は、前記管理手段で管理される前記めくり動作の数から１減じた数の白紙のデータを追加した電子文書データを作成することを特徴とする請求項１に記載の情報処理装置。
【請求項３】
前記回数管理手段で、前記撮像部での撮像と撮像との間に前記めくり動作が検知された回数が２回以上管理される場合には、前記白紙のデータを追加するページを特定する特定手段を更に備え、
前記作成手段は、前記白紙のデータを前記特定手段で特定されたページに追加した電子文書データを作成することを特徴とする請求項１または２に記載の情報処理装置。
【請求項４】
前記撮像対象物が片面印刷か、両面印刷かの指定を受け付ける指定受付手段を更に備え、
前記作成手段は、前記指定受付手段で片面印刷の指定を受け付けた場合には、前記撮像データ管理手段で管理される撮像データを撮像順とした電子文書データであり、前記特定手段で特定された撮像データの間に前記白紙のページが追加された電子文書データを作成し、
前記指定受付手段で両面印刷の指定を受け付けた場合には、前記撮像データ管理手段で管理される撮像データを撮像対象物のページ順となるように並び替える処理を行った電子文書データであり、前記特定手段で特定された撮像データに対応する位置に前記白紙のページが追加された電子文書データを作成すること
を特徴とする請求項３に記載の情報処理装置。
【請求項５】
前記回数管理手段は、前記撮像によって前記めくり動作が検知された回数をリセットすること
を特徴とする請求項１乃至４のいずれか１項に記載の情報処理装置。
【請求項６】
前記撮像対象物の撮像の終了指示を受け付ける終了受付手段と、
前記終了受付手段で前記終了指示を受け付けたときに、前記撮像データ管理手段で管理される複数の撮像データの数が奇数であるか否かを判定する判定手段と
を更に備え、
前記作成手段は、前記判定手段で奇数であると判定された場合にも前記撮像データ管理手段で管理される前記撮像データに白紙のデータが追加された電子文書データを作成すること
を特徴とする請求項１乃至５のいずれか１項に記載の情報処理装置。
【請求項７】
複数のページを備える撮像対象物を撮像する撮像部と、当該撮像対象物へのめくり動作を検知可能な検知部と通信可能な情報処理装置の制御方法であって、
前記情報処理装置が、
前記撮像部で撮像されたデータである複数の撮像データを管理する撮像データ管理工程と、
前記撮像部での撮像と撮像との間に、前記検知部で前記撮像対象物へのめくり動作が検知された回数を管理する回数管理工程と、
前記回数管理工程で、前記撮像部での撮像と撮像との間に前記めくり動作が検知された回数が２回以上管理される場合には、前記撮像データ管理工程で管理される前記撮像データに白紙のデータが前記撮像部での撮像と撮像とに対応するページに追加された電子文書データを作成する作成工程と
を備えることを特徴とする情報処理装置の制御方法。
【請求項８】
複数のページを備える撮像対象物を撮像する撮像部と、当該撮像対象物へのめくり動作を検知可能な検知部と通信可能な情報処理装置で実行可能なプログラムであって、
前記情報処理装置を、
前記撮像部で撮像されたデータである複数の撮像データを管理する撮像データ管理手段と、
前記撮像部での撮像と撮像との間に、前記検知部で前記撮像対象物へのめくり動作が検知された回数を管理する回数管理手段と、
前記回数管理手段で、前記撮像部での撮像と撮像との間に前記めくり動作が検知された回数が２回以上管理される場合には、前記撮像データ管理手段で管理される前記撮像データに白紙のデータが前記撮像部での撮像と撮像とに対応するページに追加された電子文書データを作成する作成手段
として機能させることを特徴とするプログラム。
【請求項９】
複数のページを備える撮像対象物を撮像する撮像部と、当該撮像対象物へのめくり動作を検知可能な検知部と通信可能な情報処理装置を含む情報処理システムであって、
前記撮像部で撮像されたデータである複数の撮像データを管理する撮像データ管理手段と、
前記撮像部での撮像と撮像との間に、前記検知部で前記撮像対象物へのめくり動作が検知された回数を管理する回数管理手段と、
前記回数管理手段で、前記撮像部での撮像と撮像との間に前記めくり動作が検知された回数が２回以上管理される場合には、前記撮像データ管理手段で管理される前記撮像データに白紙のデータが前記撮像部での撮像と撮像とに対応するページに追加された電子文書データを作成する作成手段と
を備えることを特徴とする情報処理システム。
【請求項１０】
複数のページを備える撮像対象物を撮像する撮像部と、当該撮像対象物へのめくり動作を検知可能な検知部と通信可能な情報処理装置を含む情報処理システムの制御方法であって、
前記情報処理システムが、
前記撮像部で撮像されたデータである複数の撮像データを管理する撮像データ管理工程と、
前記撮像部での撮像と撮像との間に、前記検知部で前記撮像対象物へのめくり動作が検知された回数を管理する回数管理工程と、
前記回数管理工程で、前記撮像部での撮像と撮像との間に前記めくり動作が検知された回数が２回以上管理される場合には、前記撮像データ管理工程で管理される前記撮像データに白紙のデータが前記撮像部での撮像と撮像とに対応するページに追加された電子文書データを作成する作成工程と
を備えることを特徴とする情報処理システムの制御方法。
【請求項１１】
複数のページを備える撮像対象物を撮像する撮像部と、当該撮像対象物へのめくり動作を検知可能な検知部と通信可能な情報処理装置を含む情報処理システムで実行可能なプログラムであって、
前記情報処理システムを、
前記撮像部で撮像されたデータである複数の撮像データを管理する撮像データ管理手段と、
前記撮像部での撮像と撮像との間に、前記検知部で前記撮像対象物へのめくり動作が検知された回数を管理する回数管理手段と、
前記回数管理手段で、前記撮像部での撮像と撮像との間に前記めくり動作が検知された回数が２回以上管理される場合には、前記撮像データ管理手段で管理される前記撮像データに白紙のデータが前記撮像部での撮像と撮像とに対応するページに追加された電子文書データを作成する作成手段
として機能させることを特徴とするプログラム。
【発明の詳細な説明】
【技術分野】
【０００１】
ユーザに手間をかけさせることなく、白紙のデータを含めた電子文書データを作成することの可能な仕組みを提供することの可能な情報処理装置、その制御方法、及びプログラム、並びに、情報処理システム、その制御方法、及びプログラムに関する。
【背景技術】
【０００２】
紙の書類を電子文書データ（例えばＰＤＦデータなど）として保存する際には、読み取り領域に載置された書類をカメラで撮像して、カメラで撮像することにより得られた書類の画像データを処理して保存するということが行われている。
【０００３】
例えば下記の特許文献１には、同時に撮像された複数の書類間の順序を特定し、特定された順序で画像データの整理、保存を行う仕組みが開示されている。
【先行技術文献】
【特許文献】
【０００４】
【特許文献１】特開２０１４−２１６９５３号公報
【発明の概要】
【発明が解決しようとする課題】
【０００５】
例えば、銀行やオフィスなどでは、複数の両面印刷されたページがステープラーなどの留め具を用いて束ねられた書類を撮像して電子文書データを生成したいことがある。このような書類を撮像する場合には、書類の留め具を外してページをバラバラにして撮像することができるが、撮像後に再度留め具を用いて束ねる手間が生じてしまい、ユーザの手間がかかってしまう。
【０００６】
そこで、書類の留め具を外さずにページが束ねられた状態で書類を撮像したいという要望がある。そのためには、ページの撮像を行った後、撮像済みのページをめくり、次の未撮像のページの撮像を行う…ことを繰り返すことで書類の電子文書データを作成することができる。
【０００７】
この場合、ユーザは撮像対象のページが白紙のページであっても撮像処理を行わなければ白紙の撮像データを電子文書データに含めさせることができず、わざわざ白紙のページであっても撮像処理を行わなければならずユーザの手間が掛かるものとなっていた。
【０００８】
そこで本発明は、ユーザに手間をかけさせることなく、白紙のデータを含めた電子文書データを作成することの可能な仕組みを提供することを目的とする。
【課題を解決するための手段】
【０００９】
本発明の情報処理装置は、複数のページを備える撮像対象物を撮像する撮像部と、当該撮像対象物へのめくり動作を検知可能な検知部と通信可能な情報処理装置であって、前記撮像部で撮像されたデータである複数の撮像データを管理する撮像データ管理手段と、前記撮像部での撮像と撮像との間に、前記検知部で前記撮像対象物へのめくり動作が検知された回数を管理する回数管理手段と、前記回数管理手段で、前記撮像部での撮像と撮像との間に前記めくり動作が検知された回数が２回以上管理される場合には、前記撮像データ管理手段で管理される前記撮像データに白紙のデータが前記撮像部での撮像と撮像とに対応するページに追加された電子文書データを作成する作成手段とを備えることを特徴とする。
【発明の効果】
【００１０】
本発明によれば、ユーザに手間をかけさせることなく、白紙のデータを含めた電子文書データを作成することの可能な仕組みを提供することが可能となる。
【図面の簡単な説明】
【００１１】
【図１】本実施形態における情報処理システムの外観構成図である。
【図２】本実施形態における情報処理装置１００のハードウェア構成を説明する図である。
【図３】本実施形態における情報処理装置１００の機能構成を説明する図である。
【図４】本実施形態における情報処理装置１００の利用形態を示す図である。
【図５】本実施形態における処理手順を説明するフローチャートである。
【図６】本実施形態における撮像処理の詳細な処理の流れを説明するフローチャートである。
【図７】本実施形態における投影範囲４１１のイメージである。
【図８】本実施形態における投影範囲４１１のイメージである。
【図９】撮像データテーブル９００の一例を示すデータテーブルである。
【図１０】本実施形態における電子文書データ生成処理の詳細な処理の流れを説明するフローチャートである。
【図１１】本実施形態におけるページ順決定処理の詳細な処理の流れを説明するフローチャートである。
【発明を実施するための形態】
【００１２】
以下、本発明の好適な実施形態について、図面を参照しながら詳細に説明する。
【００１３】
図１は、実施形態における情報処理システムの外観構成図であり、図２はシステムを構成する情報処理装置１００のハードウェア構成図である。本システムは、システム全体の制御を司る情報処理装置１００を有する。そして、この情報処理装置１００には、投影撮像装置１１０をはじめ、ユーザとの間のユーザインターフェースとして機能するディスプレイ１２０、入力デバイス（キーボードやマウス等）１３０が接続されている。また、図示していないが、業務に係る基幹ネットワークとも接続される。投影する投影データや撮像された撮像データなどは基幹ネットワークなどに記憶されてもよい。
【００１４】
情報処理装置１００は通常のＰＣ（パーソナルコンピュータ）等と同じハードウェア構成の情報処理装置である。プログラムに従って処理を行うＣＰＵ１０１、ブートプログラムやＢＩＯＳ等を記憶するＲＯＭ１０２、ＣＰＵ１０１が実行するＯＳやアプリケーションを格納するため、並びにＣＰＵ１０１がワークエリアとして利用するＲＡＭ１０３を有する。また、情報処理装置１００は、投影撮像装置１１０と通信するためのＩ／Ｆ部１０５、ＣＰＵ１０１の指示に従って描画処理やビデオ信号の出力処理等を行うビデオコントローラ１０６を有する。更に、情報処理装置１００はハードディスク（ＨＤＤ）に代表される外部記憶装置１０８（記憶手段）に対する読み書きを行うストレージコントローラ１０７、基幹ネットワーク（特にネットワークプリンタ）と通信するためのネットワークＩ／Ｆ１０４を有する。外部記憶装置１０８には、オペレーティングシステム（ＯＳ）、情報処理システムとして機能させるためのアプリケーションプログラムをはじめ、本実施形態で用いる撮像データや、データテーブル等が格納されている。
【００１５】
投影撮像装置１１０は、その筐体内に、情報処理装置１００と通信するためのＩ／Ｆ部１１８、投影部１１５、撮像部１１６、距離測定部１１７（検知部に相当する）を収容している。投影撮像装置１１０には、投影部１１５から出射した投影光を通過させるための開口部１１１が設けられている。更に、撮像部１１６並びに距離測定部１１７に共有され、外部からの光（赤外線を含む）を入射するための開口部１１２も設けられている。
【００１６】
投影部１１５は、情報処理装置１００から要求された映像を表す投影光を開口部１１２を介して天板１１３に向け、且つ、若干斜め方向に出射する。天板１１３の下面側にはミラーが設けられており、投影部１１５からの投影光を反射する。この結果、図１における投影撮像装置１１０の設置位置より手前側の領域（実際にはテーブルの上面）が投影スクリーンとして、その映像を表示することになる。なお、出射する方向を斜めにするのではなく、天板１１３を傾けても構わない。
【００１７】
また、撮像部１１６並びに距離測定部１１７（検知部）は、天板１１３のミラーを介して、投影部１１５によるテーブル上の投影領域よりも広い範囲を撮像範囲、又は、測距範囲として設定されている。撮像範囲と測距範囲は同一であっても構わない。撮像部１１６は通常のデジタルカメラに代表される撮像装置と同じ構成であり、テーブルの撮像範囲内の映像を光学的に読み取るものである。距離測定部１１７は、奥行き（距離）を検出するものであり、予め設定された２次元パターンを示す赤外線を照射する照射部と、その対象物から２次元空間での反射赤外線を検出するセンサで構成される。そして、撮像部１１６で得らえた映像データと、距離測定部１１７より検出された距離データの時間軸に対する変化に基づき、情報処理装置１００のＣＰＵ１０１による処理によって、ユーザの手の動きや指（操作指示部）でテーブルをたたく操作（ジェスチャ）、ユーザの手と手の接触や書類の検出・検知処理が実現する。なお、映像と、赤外線によるパターン照射／検出によってユーザのジェスチャ検出を行う技術は公知（たとえば、米国マイクロソフト社のＫＩＮＥＣＴ（商標））であるので、ここでの詳細な説明は省略する。ただし、ユーザのジェスチャが検出できれば良く、その構成、原理は特に問わない。なお、投影撮像装置１１０の筐体内に十分なスペースがあれば、情報処理装置１００を構成する回路を投影撮像装置１１０に内蔵させることで、これらを一体化しても構わない。
【００１８】
上記構成において、本装置の電源がＯＮになると、ＣＰＵ１０１はＲＯＭ１０２に格納されたブートプログラムを実行し、外部記憶装置１０８に格納されたＯＳをＲＡＭ１０３にロードし実行する。そして、そのＯＳの制御下にて、外部記憶装置１０８から情報処理システムのアプリケーションプログラムをＲＡＭ１０３にロードして、実行させる。
【００１９】
次に図３を用いて、情報処理装置１００の機能構成を説明する。
【００２０】
情報処理装置１００は機能部として、指示受付部２３０１、管理部２３０２、判定部２３０３、カウント部２３０４を備えている。
【００２１】
指示受付部２３０１は書類の撮像指示と、書類に対するめくり動作（ジェスチャ）を受け付ける機能部である。管理部２３０２は撮像された複数の撮像データを撮像された順番で管理する機能部である。判定部２３０３は撮像指示を受け付ける前にめくり動作を所定の値（回数）以上受け付けたか否かを判定する機能部である。カウント部２３０４はめくり動作を受け付けた回数をカウントする機能部である。
【００２２】
以上で図３に示す、情報処理装置１００の機能構成の説明を終了する。
【００２３】
次に図４を用いて、本システムの利用形態を示す。本実施形態における情報処理システムは、図示のように、テーブル４００には、ディスプレイ１２０、入力デバイス１３０がユーザの操作しやすい位置に配置されている。また、投影撮像装置１１０は、その天板１１３によって斜め方向から投影光がテーブル４００に向けて照射することになる。なお、検出範囲４１０、投影範囲４１１（撮像面）が示す矩形は、テーブル４００上にそれぞれの範囲が規定されていることを示すためであって、その境界線が表示されることを意図するものではない。
【００２４】
ユーザは、撮像面に載置された書類（撮像対象物）に対する撮像指示を行い、投影撮像装置１１０で撮像させる指示を行う。ユーザは書類の撮像、書類のページを改めるジェスチャ（めくり動作）、新たな書類のページの撮像を繰り返して、書類の電子データを生成する。その際に、書類に白紙のページがあったとしてもこの白紙のページの撮像処理を行わなければ書類のページ順の構成を担保する必要があるため、白紙のページを撮像しなければならないという手間があった。
【００２５】
以上、実施形態における情報処理システムの利用形態を説明した。次に、情報処理システムの処理内容を、特にＣＰＵ１０１の処理手順として図５のフローチャートを用いて説明する。
【００２６】
本システムが起動されると、まず、ステップＳ１０１にて、情報処理装置１００のＣＰＵ１０１は選択メニューの画面（不図示）をディスプレイ１２０に表示し、ユーザに項目の１つを選択させる。表示する選択メニュー（項目）は、「書類読み取りボタン」、「書類投影ボタン」等、情報処理装置１００で実行可能な処理に対応する項目である。ユーザから項目の選択を受け付けると、対応する処理を実行することができる。
【００２７】
ステップＳ１０２にて、情報処理装置１００のＣＰＵ１０１は、ユーザによる入力デバイス１３０の操作による項目の選択を待つ。選択がなされると、ステップＳ１０３にて、情報処理装置１００のＣＰＵ１０１はその選択した項目がいずれのボタンであるかを判定する。書類読み取りボタンであると判定した場合、処理はステップＳ１０５に進み撮像処理を行う。書類投影ボタン等の書類読み取りボタン以外のボタンが押下されたと判定した場合、処理はステップＳ１０４に進む。
【００２８】
ステップＳ１０４にて、情報処理装置１００のＣＰＵ１０１は、押下されたボタンに対応する処理を実行する。例えば、書類投影ボタンが押下された場合には、ステップＳ１０５で生成された電子文書データを投影面上に投影する処理を行う。ステップＳ１０４の処理が行われたあと、処理をステップＳ１０２に戻す。
【００２９】
ステップＳ１０５にて、情報処理装置１００のＣＰＵ１０１は、投影面上の書類を撮像する処理である撮像処理を行う。本実施形態では、書類に対して撮像指示、めくり動作、撮像指示、めくり動作…という順番でユーザからの指示（ジェスチャ）を受け付けることで、書類の表面のみを連続で撮像する。例えば３枚の両面印刷の紙からなる書類について、表面の撮像が終了した状態が図８に示すような状態である。この状態は書類の裏面が上面となった状態である。そこで、ユーザは表面の撮像処理と同様に、ユーザからの撮像指示、めくり動作…を繰り返し受け付けることで、書類の裏面のみを連続で撮像する。このようにして得られた複数の撮像データを正しいページ順となるように並び替えて電子文書データを作成することで、書類を簡便に電子文書データとすることができる。本実施形態では両面印刷の書類を例として説明し、予めユーザから両面印刷の書類を撮像する指示がユーザからなされていることとする。
【００３０】
撮像処理の詳細な処理の説明は図６に示すフローチャートを用いて説明する。
【００３１】
ステップＳ１０６にて、情報処理装置１００のＣＰＵ１０１は、撮像処理で撮像された撮像データを基に電子文書データを生成する処理である電子文書データ生成処理を行う。電子文書データ生成処理の詳細な処理の説明は図１０に示すフローチャートを用いて説明する。
【００３２】
図６のフローチャートを用いて撮像処理の詳細な処理の説明を開始する。
【００３３】
ステップＳ６０１では、情報処理装置１００のＣＰＵ１０１は、投影部１１５に投影指示を行い、外部記憶装置１０８に記憶される撮像画面７００を投影範囲４１１に投影させる。図７に示すように撮像画面７００には、書類読取ボタン７０２と撮像終了ボタン７０３とが配置されている。また、書類を載置すべき位置をユーザに通知するための領域を示す枠７０１とその領域内に書類が載置されている例が図７に示す模式図である。
【００３４】
ステップＳ６０２では、情報処理装置１００のＣＰＵ１０１は、投影範囲４１１上に書類が検知されたか否かを判定する。投影範囲４１１上に書類が検知されたと判定された場合には処理をステップＳ６０８に進める。そうでない場合には処理をステップＳ６１３に進める。書類が検知されたか否かの判定は、例えば、距離測定部１１７から得られる距離データの時間軸に対する変化によって、矩形状の物体が所定時間以上検出されたことをもって、書類が検出されたと判定する。また、撮像部１１６で現在のタイミングで撮像された画像と直前のタイミングで撮像された画像とを比較することにより、矩形状の物体が画像に含まれているか否かを判定することにより判定することも可能であり、これらを組み合わせて判定するようにしてもよい。
【００３５】
ステップＳ６０３では、情報処理装置１００のＣＰＵ１０１は、投影範囲４１１上でユーザからいずれのジェスチャを受け付けたかを判定する。
【００３６】
具体的には、投影範囲４１１上に投影された書類読取ボタン７０２が押下（タッチ）されたと判定された場合には処理をステップＳ６０４に進める。投影範囲４１１に載置された書類がめくられる動作であるめくり動作を検知したと判定された場合には処理をステップＳ６１１に進める。撮像指示か否かについては、書類が投影範囲４１１で静止した状態で所定時間以上経過した場合にステップＳ６０４に処理を進めるなど、ユーザの指示を受け付けなくとも予め記憶された撮像指示の条件を満たしているか否かを判定するようにしてもよい。めくり動作であるか否かの判定の詳細な方法としては、物体（本実施形態では指先）の座標の時系列順の変化を予め記憶しておき、予め記憶された時系列順の座標の変化と、距離測定部１１７等で検知された指先の座標の時系列順の変化とが近似している場合に、めくり動作を検知したと判定してもよいし、撮像部１１６で逐次撮像された時系列順で撮像された画像を解析し、投影範囲４１１に載置された書類のページが異なるページになっているか否かを判定するようにしてもよい。また、特開２０１４−１４３７４５に開示されているように、投影範囲４１１を撮像して得られる画像データから特徴点を検出して、複数の画像データ間での特徴点を比較することにより、当該特徴点の速度ベクトルを演算する手法などであってもよい。
【００３７】
なお、説明のため２つのジェスチャの例で判断分岐の説明を行ったが、当然これ以外のジェスチャが記憶されていてこれ以外のジェスチャに対応するフローに処理が分岐するような構成としても構わない。
【００３８】
ステップＳ６１１では、情報処理装置１００のＣＰＵ１０１は、ＲＡＭ１０３上に管理されるめくり回数をカウントアップする処理を行う（回数管理手段）。例えば、めくり回数が「０」だった場合には「１」になるようカウントアップを行う。図７に示す書類は書類が１枚めくられた後の状態を示す図である。このとき、本実施形態ではめくり回数は「１」である。
【００３９】
ステップＳ６０４では、情報処理装置１００のＣＰＵ１０１は、ステップＳ６１１でカウントアップされためくり回数が所定の値以上（回数以上）か否かを判定する。めくり回数が所定の値以上であると判定された場合には処理をステップＳ６０５に進め、そうでない場合には処理をステップＳ６０６に進める。本実施形態では、所定の値を「２」とするが、当然これに限定されるものではない。カウントアップの基準の値が０であれば２であるし、基準の値が１であれば３となるように、カウントアップの基準の値によって適宜変更されるものである。カウントダウンの場合でも同様である。
【００４０】
ここで、めくり回数が所定の回数か否かを判定することにより、１回目のめくり動作の際には白紙ページが追加されず、２回目以降のめくり動作の際には白紙ページが自動的に追加されるようになることで、束ねられた書類をめくりながら撮像する際に、撮像が必要のないページの撮像指示及び撮像処理を省いたとしても、自動的に白紙ページが挿入されるという効果がある。これにより、白紙ページの撮像処理を行わなかったとしても自動的に白紙ページが挿入されるため、束ねられた書類の構成、すなわち白紙ページも含めたページの構成を保った状態で、電子文書データを生成することのできる効果を奏するものである。
【００４１】
ステップＳ６０５では、情報処理装置１００のＣＰＵ１０１は、白紙ページとしてのレコードを撮像データテーブル９００に追加する。白紙ページとしてのレコードとは、例えば図９に示す撮像データテーブル９００のＩＤ９０１が「４」のレコードがそれに相当する。ＩＤ９０１が「５」のレコードが第２の撮像データに相当し、ＩＤ９０１が「３」のレコードが第１の撮像データに相当する。ステップＳ６０９で追加されるレコードと異なる点としては、保存場所９０２が空欄であることである。このようにすることで、のちの工程で白紙のページを追加することができる。なお、白紙のページの追加方法はこれに限定されず、保存場所９０２に白紙のページを示すデータ（白紙のデータ）の保存場所を入力するなど、別の方法をとっても構わない。
【００４２】
ステップＳ６０６では、情報処理装置１００のＣＰＵ１０１は、撮像部１１６に撮像をする指示を行う。
【００４３】
ステップＳ６０７では、情報処理装置１００のＣＰＵ１０１は、撮像部１１６で撮像された画像データである撮像データを撮像部１１６から取得する。
【００４４】
ステップＳ６０８では、情報処理装置１００のＣＰＵ１０１は、ステップＳ６０７で取得された撮像データを所定のフォルダに保存する。
【００４５】
ステップＳ６０９では、情報処理装置１００のＣＰＵ１０１は、撮像データテーブル９００にレコードを追加することにより情報を記憶する処理を行う（撮像データ管理手段）。
【００４６】
図９に示す撮像データテーブル９００には、ＩＤ９０１、保存場所９０２、撮像順９０３、ページ順９０４が対応づけて記憶されている。ＩＤ９０１は、撮像データに一意に割り当てられるＩＤである。保存場所９０２は撮像データの保存されている場所（ステップＳ６０８で保存された場所）を示すリンク情報が格納されている。撮像順９０３は、撮像データテーブルにレコードを追加した順番を示す情報である。ページ順９０４はのちのページ順決定処理で決定された電子文書絵データにおけるページの順番を示す情報である。
【００４７】
ステップＳ６１０では、情報処理装置１００のＣＰＵ１０１は、ＲＡＭ１０３上に管理されるめくり回数を０にする処理を行う（リセット）。めくり回数とは、投影範囲４１１上に載置された書類がめくられた回数を示すパラメータであり、書類がめくられるごとにカウントアップされるものである。ここでめくり回数を０とする処理を行うことで、一度撮像したページをめくる動作をした場合にはステップＳ６１２で白紙ページとしてのレコードが追加されず、２回（所定の値）以上めくり動作を行った場合には、そのめくり動作の数だけ白紙ページとしてのレコードが追加されるようになり、よりユーザの使い勝手のよい仕組みを提供することができるものである。カウントダウンによる構成とする場合には、基準の値（例えば１０）などにめくり回数を戻す処理を行う。
【００４８】
なお、本実施形態ではめくり動作を所定のジェスチャの例として説明するが、めくり動作に限定されない。少なくとも、書類のページを改めるジェスチャであれば何でもよい。
【００４９】
ステップＳ６１２では、情報処理装置１００のＣＰＵ１０１は、ユーザから撮像終了ボタン７０３の押下（終了指示）を受け付けたか否かを判定する（終了受付手段）。撮像終了ボタン７０３の押下を受け付けたと判定された場合には処理をステップＳ６１３に進め、そうでない場合には処理をステップＳ６０２に戻す。
【００５０】
ステップＳ６１３では、情報処理装置１００のＣＰＵ１０１は、撮像データテーブル９００の撮像順９０３を参照し、撮像順９０３（撮像データの数）が最大となる値を特定する。この特定された値が奇数である場合には処理をステップＳ６１４に進め、そうでない場合には処理を終了させる。書類をめくった後に撮像すべきページがない（３枚の両面印刷を撮像する場合、５ページ目と２ページ目の撮像のときに相当する）場合にはステップＳ６０５で白紙ページのレコードを追加することができなくなってしまう。そうすると、のちのページ順決定処理で整合性が取れなくなってしまう恐れがあることから本処理を行っている。撮像された撮像データの枚数が奇数か否かを判断して奇数であればステップＳ６１４に進めるようにしてもよい。書類の両面のページすべてが撮像されているか否かを判断できれば他の方法を用いてもよい。
【００５１】
ステップＳ６１４では、情報処理装置１００のＣＰＵ１０１は、白紙ページのレコードを撮像データテーブル９００に追加する処理を行う。
【００５２】
以上で、図６に示すフローチャートの説明を終了する。
【００５３】
次に図７のフローチャートを用いて、電子文書データ生成処理（ステップＳ１０６）の詳細な処理の流れを説明する。
【００５４】
ステップＳ１００１では、情報処理装置１００のＣＰＵ１０１は、図９の撮像データテーブル９００を参照する。
【００５５】
ステップＳ１００２では、情報処理装置１００のＣＰＵ１０１は、ステップＳ１０５の撮像処理で得られた撮像データのページ順を決定する処理であるページ順決定処理を行う。ページ順決定処理の詳細な処理の流れは、図１１のフローチャートを用いて説明する。
【００５６】
ステップＳ１１０１では、情報処理装置１００のCPU１０１は、ステップＳ１００１で参照した撮像データテーブル９００の撮像順９０３のうちもっとも数値が大きいレコードを特定する。図９の撮像データテーブル９００を例にすると、「６」のレコードが特定される。
【００５７】
ステップＳ１１０２では、情報処理装置１００のCPU１０１は、ステップＳ１１０１で最も大きいと特定された撮像順９０３の半分の値を算出する。そして、算出された値に対応する撮像順９０３のレコードを特定する。図９の例であれば、「３」のレコードが特定される。
【００５８】
ステップＳ１１０３では、情報処理装置１００のCPU１０１は、ステップＳ１１０１とステップＳ１１０２で特定されたレコードに基づいて、表面・裏面とに相当するレコードをそれぞれ特定する。具体的に説明する。表面に相当するレコードは、撮像順９０３が「１」のレコード〜ステップＳ１１０２で特定されたレコードまでとなる。裏面に相当するレコードは、ステップＳ１１０２で特定されたレコードの次のレコード〜ステップＳ１１０１で特定されたレコードまでとなる。なお、書類の撮像の際にあらかじめユーザから画面上に設けられたボタンの選択を受け付けるなどして、表面の撮像処理と裏面の撮像処理とを分けて撮像指示を受け付けて、撮像データの表裏を管理するようにしてもよい。
【００５９】
ステップＳ１１０４では、情報処理装置１００のCPU１０１は、ステップＳ１１０３で表面に相当すると特定されたレコードのページ順９０４に昇順で奇数を割り当てる。
【００６０】
ステップＳ１１０５では、情報処理装置１００のCPU１０１は、ステップＳ１１０３で裏面に相当すると特定されたレコードのページ順９０４に降順で偶数を割り当てる。ステップＳ１１０４及びステップＳ１１０５の結果が図９に示す撮像データテーブル９００である。
【００６１】
このようにして、ステップＳ１０５の撮像処理で撮像された撮像データのページ順９０４を決定することができる。ページ順の決定方法は一例であってこれに限定されるものではない。
【００６２】
ステップＳ１００３からステップＳ１００７までの処理は、撮像データテーブル９００のすべてのレコードに対して処理が行われるまで繰り返しループさせる。
【００６３】
ステップＳ１００３では、情報処理装置１００のＣＰＵ１０１は、ステップＳ１００４以降の処理を行う対象となるレコードを特定する。再帰処理ではなく初めてステップＳ１００３の処理を行う場合には、ページ順９０４が最も若いレコードである「１」を対象のレコードとして特定する。ステップＳ１００８からの再帰処理の場合、未処理のレコードのうちページ順９０４が最も若いレコードを対象のレコードとして特定する（特定手段）。
【００６４】
ステップＳ１００４では、情報処理装置１００のＣＰＵ１０１は、ステップＳ１００３で特定されたレコードの保存場所９０２が空欄か否かを判定する。空欄であると判定された場合には処理をステップＳ１００６に進め、そうでない場合には処理をステップＳ１００５に進める。
【００６５】
ステップＳ１００５では、情報処理装置１００のＣＰＵ１０１は、ステップＳ１００３で特定された対象のレコードの保存場所９０２に格納されている撮像データを取得する。（本実施形態ではＰＤＦデータも撮像データに含まれるものとする）
【００６６】
ステップＳ１００６では、情報処理装置１００のＣＰＵ１０１は、外部記憶装置に記憶される白紙のＰＤＦデータ（白紙のデータ）を取得する。なお、ＰＤＦデータの取得のタイミングはこのタイミングでなくとも構わず、予めＰＤＦデータを取得しておいてもよい。
【００６７】
ステップＳ１００７では、情報処理装置１００のＣＰＵ１０１は、電子文書データにステップＳ１００５またはステップＳ１００６で取得されたＰＤＦデータを追加する。ステップＳ１００３で特定されたレコードのページ順９０４が「１」の場合には、追加するための電子文書データはそもそも存在しないので、ステップＳ１００５またはステップＳ１００６で取得されたＰＤＦデータを電子文書データとして記憶しておく。ステップＳ１００８で再帰処理を行った場合には該電子文書データに、ステップＳ１００５またはステップＳ１００６で取得されたＰＤＦデータが追加されていく。このようにして、めくり動作の数から１減じた数の白紙のデータがPDFデータに追加されることになる。
【００６８】
撮像データテーブル９００のすべてのレコードの処理が終了した場合には処理をステップＳ１００８に進める。
【００６９】
ステップＳ１００８では、情報処理装置１００のＣＰＵ１０１は、ステップＳ１００７で追加された電子文書データを外部記憶装置１０８に保存する（作成手段）。
【００７０】
以上のように、ユーザにより行われるめくり動作と撮像指示とを交互に受け付けることで、書類を撮像し、電子文書データとして保存するようなケースにおいて、書類の白紙のページの撮像処理を逐一行わなくても、ユーザは撮像せずページをめくる動作を行うだけで、電子文書データに自動的に白紙のページが追加されるという効果がある。これにより、ユーザが書類のページの構成を保たせるために書類の白紙のページをわざわざ撮像する手間がなくなるため、書類を電子化する際の効率化が図られる。
【００７１】
本実施形態では、めくり動作が行われるごとにめくり回数がカウントアップされ、めくり回数が所定数（２回）以上となった状態でめくり動作がなされた場合に、「所定回数（２）ー１」の白紙ページを追加するようにしている。これ以外の方法としては、めくり動作が行われるごとにめくり回数がカウントダウンされ、めくり回数が所定数以下となった状態でめくり動作がなされた場合に、めくり動作に対応する数の白紙ページを追加するようにしても構わない。
【００７２】
なお、本実施形態では、撮像される書類が両面印刷の例で説明を行ったが、撮像される書類が片面印刷であっても本発明に含まれる。片面印刷の場合、撮像順９０３がそのままページ順９０４となるため、ページ順決定処理を行わなくともよい。その場合、ステップＳ１００３での対象のレコードの特定は、撮像順９０３により対象のレコードが特定される。また、撮像される書類が片面印刷なのか、両面印刷なのかをユーザから画面ＵＩ（Ｕｓｅｒ  Ｉｎｔｅｒｆａｃｅ）などを介して受け付け（指定受付手段）、その受け付けた情報に基づいて、両面印刷であれば本実施形態のような並べ替え処理を行って決まるページ順で電子文書データを作成し、片面印刷であれば並べ替え処理を行わずに撮像順９０３によって決まるページ順で電子文書データを作成するようにしても構わない。このようにすることで、片面印刷や両面印刷のいずれの場合であっても正しいページ順で電子文書データを作成することの可能な仕組みを提供することができるようになる。
【００７３】
以上、本発明によれば、ユーザに手間をかけさせることなく、白紙のデータを含めた電子文書データを作成することの可能な仕組みを提供することの可能な仕組みを提供することができる。
【００７４】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。なお、本発明は、前述した実施形態の機能を実現するソフトウェアのプログラムを、システム或いは装置に直接、或いは遠隔から供給するものを含む。そして、そのシステム或いは装置の情報処理装置が前記供給されたプログラムコードを読み出して実行することによっても達成される場合も本発明に含まれる。
【００７５】
したがって、本発明の機能処理を情報処理装置で実現するために、前記情報処理装置にインストールされるプログラムコード自体も本発明を実現するものである。つまり、本発明は、本発明の機能処理を実現するためのコンピュータプログラム自体も含まれる。
【００７６】
その場合、プログラムの機能を有していれば、オブジェクトコード、インタプリタにより実行されるプログラム、ＯＳに供給するスクリプトデータ等の形態であってもよい。
【００７７】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００７８】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００７９】
また、本発明のプログラムを構成するプログラムコードを複数のファイルに分割し、それぞれのファイルを異なるホームページからダウンロードすることによっても実現可能である。つまり、本発明の機能処理を情報処理装置で実現するためのプログラムファイルを複数のユーザに対してダウンロードさせるＷＷＷサーバも、本発明に含まれるものである。
【００８０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行して情報処理装置にインストールさせて実現することも可能である。
【００８１】
また、情報処理装置が、読み出したプログラムを実行することによって、前述した実施形態の機能が実現される。その他、そのプログラムの指示に基づき、情報処理装置上で稼動しているＯＳなどが、実際の処理の一部又は全部を行い、その処理によっても前述した実施形態の機能が実現され得る。
【００８２】
さらに、記録媒体から読み出されたプログラムが、情報処理装置に挿入された機能拡張ボードや情報処理装置に接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【００８３】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００８４】
１００  情報処理装置
２０１  ＣＰＵ
２０２  ＲＡＭ
２０３  ＲＯＭ
２０４  システムバス
２０５  入力コントローラ
２０６  ビデオコントローラ
２０７  メモリコントローラ
２０８  通信Ｉ／Ｆコントローラ
２０９  キーボード
２１０  ＣＲＴディスプレイ
２１１  外部メモリ
【図１】
2018042183.tif 000003
【図２】
2018042183.tif 000004
【図３】
2018042183.tif 000005
【図４】
2018042183.tif 000006
【図５】
2018042183.tif 000007
【図６】
2018042183.tif 000008
【図７】
2018042183.tif 000009
【図８】
2018042183.tif 000010
【図９】
2018042183.tif 000011
【図１０】
2018042183.tif 000012
【図１１】
2018042183.tif 000013